(57)【要約】      （修正有）【課題】波形鋼板ウエブ橋の張出架設工法における柱頭部を構築する場合に柱頭部の型枠を支持するブラケットを設けることなく、柱頭部を構築する。【解決手段】柱頭部に相当する部分の波形鋼板ウエブ１０ａ及び左右橋体各１ブロック分の波形鋼板ウエブ１０ｂ、１０ｃを連結した波形鋼板ウエブ連結体１０を、橋脚５０上に載置し、左右１ブロック分の波形鋼板ウエブ１０ｂ、１０ｃの上面にそれぞれ横ビ−ムを載置し、横ビームから柱頭部及び下床版コンクリート型枠の受枠を吊下し、柱頭部のコンクリート及び左右橋体１ブロック分の下床版コンクリートを施工する。【選択図】図１（ａ）
2005171521.tif 000002
【特許請求の範囲】
【請求項１】
波形鋼板ウエブ橋の張出架設工法における柱頭部を構築するに当たり、柱頭部の大きさに相当する波形鋼板ウエブ及び左右橋体各１ブロック分の波形鋼板ウエブを連結した波形鋼板ウエブ連結体を橋脚上に載置し、該波形鋼板ウエブ連結体の左右各１ブロック分の波形鋼板上面にそれぞれ横ビ−ムを載置し、該横ビームから下床版コンクリート型枠の受枠を吊下して波形鋼板ウエブを縦梁とした架設作業装置を形成し、柱頭部及び左右橋体各１ブロック分の下床版型枠を取付け、その中にコンクリートを打設することを特徴とする柱頭部の施工方法。
【発明の詳細な説明】
【技術分野】
【０００１】
本発明は、波形鋼板ウエブ橋を橋脚から左右にバランスさせながら張出施工する工法において、橋脚上の柱頭部を簡易に施工する柱頭部の施工方法に関する。
【背景技術】
【０００２】
従来、一般に、橋脚の柱頭部から橋体を張出施工する場合、橋脚の側面にブラケットを取付け、このブラケット上に型枠支保工を組み上げ、橋脚上に柱頭部を構築し、完成した柱頭部上に左右の架設作業装置を組み立てて載置し、架設作業装置を前進させ、左右バランスさせながら橋体を順次張出施工し、橋梁を構築していた。
【０００３】
例えば、波形鋼板ウエブを用いて橋脚上の柱頭部から左右にバランスさせながら張出架設桁橋を施工する技術がある（例えば、特許文献１参照。）。
【０００４】
この技術では橋脚の柱頭部上に張出架設作業装置を載置し、補剛フレームを取付けた波形鋼板ウエブを橋体軸方向に延設し、この波形鋼板ウエブにコンクリート上下床版の自重及び作業荷重を負荷させて張出架設を行うようになっている。
【０００５】
このような場合に、柱頭部の大きさを可及的に小さくし、左右の張出架設作業装置を橋軸方向に入組ませて張出架設する技術もある（例えば、特許文献２参照。）。この技術は柱頭部の大きさを可及的に小さくするものではあるが、橋脚にブラケット等を取りつけて柱頭部を構築することは依然として避けられない。
【０００６】
一方、波形鋼板ウエブ橋を柱頭部から張出施工する場合に、張出した波形鋼板ウエブを移動架設作業装置の縦梁として利用し、波形鋼板ウエブの上フランジ上に敷設したレール上に移動横ビームを載せ、この横ビームから下床版コンクリート施工用の足場や型枠を吊下し、下床版コンクリートを施工し、次いで、次の波形鋼板ウエブをその先端から軸方向に前進させて張出し、先方の波形鋼板ウエブ上に移動架設作業装置を移動させ、その移動跡の上床版コンクリートを施工し、上下床版にプレストレスを導入した後、次の下床版コンクリートを施工し、以上を繰返して橋体を張出施工する技術がある（例えば、非特許文献１、２参照。）。
【０００７】
この技術においても、予め橋脚上に柱頭部を構築し、これから波形鋼板ウエブをフレームとする移動架設作業装置を軸方向に延出するものである。また、この技術では、第１回目の張出フレーム（波形鋼板ウエブ）を支持するため仮支柱を必要とする。
【特許文献１】特開２０００−１１０１１４号公報（第２−３頁、図１）
【特許文献２】特願２００３−００８２９３号出願
【非特許文献１】プレストレストコンクリート技術協会：「プレストレストコンクリート」  Ｖｏｌ．４４  Ｎｏ．１  ２００２年１月  ｐ５６〜５７
【非特許文献２】Ｊａｐａｎ  Ｐｒｅｓｔｒｅｓｓｅｄ  Ｃｏｎｃｒｅｔｅ  Ｅｎｇｉｎｅｅｒｉｎｇ  Ａｓｓｏｃｉａｔｉｏｎ，  Ｊａｐａｎ  Ｃｏｎｃｒｅｔｅ  Ｉｎｓｔｉｔｕｔｅ：「Ｃｏｎｃｒｅｔｅ  Ｓｔｒｕｃｔｕｒｅｓ  ｉｎ  ｔｈｅ  ２１ｓｔ  Ｃｅｎｔｕｒｙ  ｖｏｌ．４」ｐｐ．３３９〜３４６，  Ｐｒｏｃｅｅｄｉｎｇ  ｏｆ  ｔｈｅ  ｆｉｓｒｔ  “ｆｉｂ”  Ｃｏｎｇｒｅｓｓ  ２００２（“ｆｉｂ”  ２００２  Ｏｓａｋａ  Ｃｏｎｇｒｅｓｓ）．
【発明の開示】
【発明が解決しようとする課題】
【０００８】
本発明は波形鋼板ウエブ橋の張出架設工法における柱頭部を構築するに当たり、従来のように橋脚側面にブラケットを取付け、これを足場及び型枠保持に用いて橋脚上に柱頭部を構築する作業を簡易化し、ブラケット等を設けることなく、柱頭部を構築する技術を提供することを目的とするものである。
【０００９】
本発明は、波形鋼板ウエブ橋の張出架設工程では基本的に上記非特許文献１、２に記載された波形鋼板ウエブ張出架設工程を利用するものであるが、上記技術は、柱頭部を予め構築しておくものであり、本発明はその柱頭部構築技術に改善を加えたものである。
【課題を解決するための手段】
【００１０】
本発明は、上記問題点を解決するためになされたもので、次の技術手段を講じたことを特徴とする柱頭部の施工方法である。すなわち、本発明は、波形鋼板ウエブ橋の張出架設工法における柱頭部を構築するに当たり、柱頭部の大きさに相当する波形鋼板ウエブ及び左右橋体各１ブロック分の波形鋼板ウエブを連結した波形鋼板ウエブ連結体を橋脚上に載置し、該波形鋼板ウエブ連結体の左右各１ブロック分の波形鋼板上面にそれぞれ横ビ−ムを載置し、該横ビームから下床版コンクリート型枠の受枠を吊下して波形鋼板ウエブを縦梁とした架設作業装置を形成し、柱頭部及び左右橋体各１ブロック分の下床版型枠を取付け、その中にコンクリートを打設することを特徴とする柱頭部の施工方法である。
【００１１】
本発明の左右橋体各１ブロックの下床版コンクリート打設以後、左右の架設作業装置を前進させながら橋体を張出施工することは上記非特許文献１、２に記載されている工法と同様である。
【００１２】
従来技術では橋脚の側面にブラケットを設けて、これを足場及び型枠支持部材として用い、柱頭部コンクリートを打設するが、本発明はこれとは異なり、ブラケット取付を全く必要とせず、従来多大な手間と工数を要していた柱頭部構築工程が著しく簡略化された。
【００１３】
なお、本発明では、第１ブロックの橋体を張出施工する際に、上記非特許文献１、２に記載されているような仮支柱を立設する必要はない。
【発明の効果】
【００１４】
本発明によれば、本発明は波形鋼板ウエブ橋の張出架設工法における柱頭部を構築する場合に、従来のように橋脚側面にブラケットを取付けることは不要であり、橋脚上に柱頭部を構築する作業を大幅に簡易化することができる。
【発明を実施するための最良の形態】
【００１５】
本発明方法は、次の（１）〜（３）の手段を特徴とする。
（１）柱頭部及び左右１ブロック分を連結した波形鋼板ウエブ連結体を橋脚上に載置する。
（２）波形鋼板ウエブの左右１ブロック分の波形鋼板上面にそれぞれ横ビ−ムを載置し、横ビームから下床版コンクリート受け型枠の受枠を吊下し、波形鋼板ウエブを架設作業装置の縦梁として架設作業装置を形成する。
（３）この架設作業装置に型枠を取付け柱頭部コンクリート及び左右橋体１ブロック分の下床版コンクリートを施工する。
【００１６】
このような本発明による柱頭部の施工方法では、橋脚側面にブラケットを設けることなく波形鋼板ウエブを架設作業装置の支持部材として用い、柱頭部及び１ブロック分の下床版コンクリートの型枠を容易に支持することができ、柱頭部の構築を省力的に実現することが可能である。
【００１７】
以下図面を参照して本発明の実施の形態を説明する。先ず従来技術について図６（ａ）〜図６（ｄ）を参照して説明する。
【００１８】
図６（ａ）に示すように、橋脚５０の頂部近傍側面に平面部材１０１、垂直部材１０３、斜材１０２からなるブラケット１００を取付ける。垂直部材１０３は橋脚５０の側面に配設され、橋脚５０を貫通するＰＣ鋼材１０４等により取付けられる。ブラケット１００上に型枠支保工１１０が載設され、型枠１２０を支持させる。図６（ｂ）は型枠１２０内に柱頭部１３０のコンクリートを打設して、柱頭部１３０を構築した段階を示している。コンクリート硬化後、型枠１２０、型枠支保工１１０、ブラケット１００を取外した柱頭部１３０を図６（ｃ）に示した。
【００１９】
次に、図６（ｄ）に示すように、柱頭部１３０上に軌条１４１を敷設して柱頭部１３０に固定し、この軌条１４１上に架設作業装置１４０を載置する。架設作業装置１４０は縦梁１４２上に横ビーム１４３を懸け渡し、この横ビーム１４３から吊下棒１４４を介して作業足場１４５、型枠１４６を吊下する。縦梁１４２は型枠１４６、その中に打設するコンクリート等の荷重を支持し、縦梁１４２の尾端にはこれらの荷重の反力を支持する装置１４７を備えている。張出橋桁の延長と共に架設作業装置１４０は左右両端に移動し、順次橋体の張出架設を行う。
【００２０】
図１（ａ）〜図１（ｃ）は本発明の実施例の柱頭部の施工方法を示す図である。
【００２１】
図１（ａ）に示すように、まず、柱頭部の大きさと同等の大きさの波形鋼板ウエブ１０ａに、左右各１ブロック分の波形鋼板ウエブ１０ｂ、１０ｃを連結した波形鋼板ウエブ連結体１０を橋脚５０の上に載置する。このとき、橋脚５０上に支持台１１及び結合材を取り付けておく。図１（ｂ）に示すように、波形鋼板ウエブの連結体１０の左右１ブロック分の波形鋼板ウエブ１０ｂ、１０ｃ上面にそれぞれ横ビ−ム２１を載置し、波形鋼板ウエブ１０ｂ、１０ｃを架設作業装置２０の縦梁として、左右にそれぞれ架設作業装置２０を形成し、横ビーム２１から下床版コンクリート型枠の受枠２２を吊下し支持する。次に図１（ｃ）に示すように、柱頭部３０のコンクリート及び左右橋体各１ブロック分の下床版コンクリート３１を施工する。
【００２２】
かくして、柱頭部３０の構築に当って、橋脚５０の側面にブラケットを取付けたり、ブラケット上に型枠を保持させる工程やその撤去等の手間を全く省略することができる。さらに、柱頭部３０の完成と同時に架設作業装置２０による第１ブロックの下床版コンクリート３１の打設まで完了している。以後左右の架設作業装置２０をそれぞれ前進させながら橋体を張出施工する。
【００２３】
従来は、図６（ｄ）に示したように、柱頭部１３０を構築した後、柱頭部１３０上に架設作業装置１４０を組み立てていたので、この省力効果も莫大である。
【実施例】
【００２４】
本発明の実施例について図２〜図５を参照して説明する。
【００２５】
図２（ａ）に示すように、柱頭部の大きさに相当する波形鋼板ウエブ（Ｎ＝０）に左右各１ブロック分の波形鋼板ウエブ（Ｎ＝１）を左右に連結した波形鋼板ウエブの連結体１０を製作する。本実施例では、架設する橋体は下床版幅７ｍ、上床版幅１２ｍであり、連結体１０の寸法は柱頭部の長さ１２ｍ、柱頭部の高さ６ｍ、１ブロックの長さ６ｍである。なお、橋脚５０の断面寸法は４ｍ×７ｍである。吊装置１２でこの連結体１０を吊上げ、矢印１３で示すように移動して橋脚５０上に載置する。
【００２６】
図２（ａ）に示す橋脚の正面図を図２（ｂ）に示した。橋脚５０上には予め、連結体１０を受ける４個の支持台１１を取付けてある。
【００２７】
図３（ａ）は橋脚５０上に連結体１０を載置した状態を示し、図３（ｂ）はその正面図である。連結体１０は鋼棒５１によって、橋脚と強固に結合される。
【００２８】
図４は、第１ブロック（Ｎ＝１）の波形鋼板ウエブ上に横ビーム２１を載設し、下床版コンクリート型枠を受ける受枠２２を取付ける工程を示している。受枠２２は矢印２３で示すように持上げられ、横ビーム２１から吊下した鋼棒２４に結合される。このようにして、第１ブロック（Ｎ＝１）の波形鋼板ウエブを縦梁とし、横ビーム２１、受枠２２、鋼棒２４等によって架設作業装置２０が構成される。
【００２９】
次いで、柱頭部の大きさに相当する波形鋼板ウエブ（Ｎ＝０）の部分に柱頭部の型枠が組立てられ、第１ブロック（Ｎ＝１）の下床版コンクリートの型枠が組立てられる。これらの型枠は橋脚５０の上面及び受枠２２によって支持される。
【００３０】
図５（ａ）は柱頭部３０のコンクリート及び第１ブロック（Ｎ＝１）の下床版コンクリート３１が同時に打設され、養生後、型枠を撤去した状態を示しており、次の第２ブロック（Ｎ＝２）の波形鋼板ウエブ４０を吊装置によって吊上げ、矢印４２に示すように、第１ブロック（Ｎ＝１）の先端に接合する工程を示している。接合完了したら、横ビーム２１を前進させて第２ブロック（Ｎ＝２）の波形鋼板ウエブ上に移動させ、移動跡の第１ブロック（Ｎ＝１）の上床版コンクリートを打設する。その後、第１ブロック（Ｎ＝１）の上下床版にプレストレスを導入する。
【００３１】
図５（ａ）のＡ−Ａ矢視図を図５（ｂ）の左半分に、図５（ａ）のＢ−Ｂ矢視図を右半分に示した。図５（ｂ）の右半分では、既に上床版６１のコンクリートが打設されている状態を図示している。すなわち、下床版６３、波形鋼板ウエブ６２、上床版６１から成る橋体が完成した状態を示している。
【００３２】
この後は、上述の非特許文献１、２に記載されている技術を適用して橋体の張出施工を行う。
【図面の簡単な説明】
【００３３】
【図１（ａ）】本発明の実施例の工程を示す側面図である。
【図１（ｂ）】本発明の実施例の工程を示す側面図である。
【図１（ｃ）】本発明の実施例の工程を示す側面図である。
【図２（ａ）】実施例の工程説明図である。
【図２（ｂ）】図２（ａ）の橋脚の正面図である。
【図３（ａ）】実施例の工程説明図である。
【図３（ｂ）】図３（ａ）の正面図である。
【図４（ａ）】本発明の適用される張出架設工法の説明図である。
【図４（ｂ）】図４（ａ）の正面図である。
【図５（ａ）】本発明の適用される張出架設工法の説明図である。
【図５（ｂ）】図５（ａ）の正面図である。
【図６（ａ）】従来例の工程を示す側面図である。
【図６（ｂ）】従来例の工程を示す側面図である。
【図６（ｃ）】従来例の工程を示す側面図である。
【図６（ｄ）】従来例の張出架設工法の説明図である。
【符号の説明】
【００３４】
１０    波形鋼板ウエブの連結体
１０ａ、１０ｂ、１０ｃ    波形鋼板ウエブ
１１    支持台
２０    架設作業装置
２１    横ビーム
２２    受枠
２３    矢印
２４    鋼棒
３０    柱頭部
３１    下床版コンクリート
５０    橋脚
６１    上床版
６２    波形鋼板ウエブ
６３    下床版
１００    ブラケット
１０１    平面部材
１０２    斜材
１０３    垂直部材
１０４    ＰＣ鋼材
１１０    型枠支保工
１２０    型枠
１３０    柱頭部
１４０    架設作業装置
１４１    軌条
１４２    縦梁
１４３    横ビーム
１４４    吊下棒
１４５    作業足場
１４６    型枠
１４７    反力支持装置
【図１（ａ）】
2005171521.tif 000003
【図１（ｂ）】
2005171521.tif 000004
【図１（ｃ）】
2005171521.tif 000005
【図２（ａ）】
2005171521.tif 000006
【図２（ｂ）】
2005171521.tif 000007
【図３（ａ）】
2005171521.tif 000008
【図３（ｂ）】
2005171521.tif 000009
【図４（ａ）】
2005171521.tif 000010
【図４（ｂ）】
2005171521.tif 000011
【図５（ａ）】
2005171521.tif 000012
【図５（ｂ）】
2005171521.tif 000013
【図６（ａ）】
2005171521.tif 000014
【図６（ｂ）】
2005171521.tif 000015
【図６（ｃ）】
2005171521.tif 000016
【図６（ｄ）】
2005171521.tif 000017